Podtech/llm-jp-corpus-v4-ja_patent huggingface dataset:
(57)【要約】      （修正有）【課題】電気掃除機等手間のかかるものを用いる必要がなく、簡単に嵩張る羽毛布団等をコンパクトに収納することができる収納シートを提供する。【解決手段】収納シート１の内側に収納物の位置決めベルト２を複数個設け、収納物を位置決めベルト留め具３ａ、３ｂにて保持し俵状に巻き込み、収納シート外側に複数個設けた固定ベルト４で締め付けると共に、固定ベルト留め具５ａ、５ｂにて固着することにより収納物が絞り込まれ圧縮され俵状形態となるように構成されている。【選択図】図２
0003181732.tif 000002
【実用新案登録請求の範囲】
【請求項１】
収納シート内側面に収納物の位置決めベルトを複数個設け、収納物を位置決めベルト留め具にて保持し俵状に巻き込み、収納シート外側面に複数個設けた固定ベルトで締め付けると共に、固定ベルト留め具にて固着することにより収納物が絞り込まれ圧縮され俵状形態となるように構成されていることを特徴とする収納シート。
【請求項２】
固定ベルトに収納物の表示タグが取付けられていることを特徴とする請求項１記載の収納シート。
【考案の詳細な説明】
【技術分野】
【０００１】  本考案は、羽毛布団等嵩張る物品の収納袋に関する。
【背景技術】
【０００２】  従来、この種の収納袋として、特許文献１に記載の布団収納袋が知られている。
【先行技術文献】
【特許文献】
【０００３】
【特許文献１】実開平５−５８６８２号公報
【考案の概要】
【考案が解決しようとする課題】
【０００４】  本考案は、電気掃除機等手間のかかるものを用いる必要がなく、簡単に嵩張る羽毛布団等を道具等を使用することなくコンパクトに収納することができることを課題としている。
【課題を解決するための手段】
【０００５】  本考案の請求項１に係る収納シートは、収納シート内側に収納物の位置決めベルトを複数個設け、収納物を位置決めベルト留め具にて保持し俵状に巻き込み、収納シート外側に複数個設けた固定ベルトで締め付けると共に、固定ベルト留め具にて固着することにより収納物が絞り込まれ圧縮され俵状形態となるように構成されている。【０００６】  請求項２の考案では、上記請求項１の収納シートにおいて、収納シート外側に設けた固定ベルトに収納物の表示タグを取り付けられている。
【考案の効果】
【０００７】  本考案では、電気掃除機等手間のかかるものを用いる必要がなく、簡単に嵩張る羽毛布団等を道具等を使用することなく俵状にコンパクトに収納することができる。【０００８】  又、収納物が何であるかを表示タグに表示することが出来るので、探す手間を省くことが出来る。
【図面の簡単な説明】
【０００９】
【図１】  本考案の収納シートの内側面の展開状態を示す展開図である。
【図２】  本考案の殊能シートの外面側の展開状態を示す展開図である。
【図３】  収納物の位置決めを示す平面図である。
【図４】  収納物を折り返した状態を示す平面図である。
【図５】  収納物を巻き込む状態を示す斜視図である。
【図６】  収納物を巻き込んだ状態を示す斜視図である。
【図７】  押し入れに収納した状態を示す正面図である。
【考案を実施するための形態】
【００１０】  以下、図面を参照して本考案の収納シートの一実施態様を説明する。図１から図２に示すように収納シート１の内側面に収納物７の位置決めベルト２を複数個熔着若しくは縫い付け等により形成し、位置決めベルト２にはそれぞれ留め具３ａ，３ｂが固着されている。
【００１１】  前記収納シート１の外側面には固定ベルト４を複数個複数個熔着若しくは縫い付け等により形成し、固定ベルト４にはそれぞれ留め具５ａ，５ｂ、５ｃが固着されている。
【００１２】  前記収納シート１の長手方向に対向する２辺８に沿ってそれぞれ紐通し部９が形成され、各紐通し部９に紐１０が両端部１０ａ，１０ｂを外へ導出する状態に挿通されている。
【００１３】  前記固定ベルト４には任意の場所に収納物７の表示タグ６が縫い付けられている。
【実施例】
【００１４】  図３から図７に示すように収納シート１の内側面に羽毛布団等の収納物７を載置し、収納物の中心部で位置決めベルト２の留め具３ａ、３ｂにより保持すると共に、収納物７を折り返し他の位置決めベルト２の留め具３ａ、３ｂにより収納物７を保持し、収納物７を圧縮しながら内側に丸めて行き、収納シート１の外側面に設けた固定ベルト４の留め具５ａ、５ｂ、５ｃにより固着する。収納シートは、長辺１４５ｃｍ、横辺９６ｃｍの長方形の布や不織布とし、位置決めベルト２及び固定ベルト４は布や合成樹脂で構成されている。【００１５】  前記固定ベルト４を留め具５ａ、５ｂにより固着した後、前記紐１０の両端部１０ａ，１０ｂを引き締めて結ぶことにより、前記収納シート１は巾着状に絞り込まれて俵形態になるよう構成されている。【００１６】  収納物７を表示するための表示タグ６に収納物７の名称等を記載することにより、収納や押し入れ等に収納シート１を保管することにより、収納物７の保管場所を容易に探すことが出来る。又、俵状に収納するため、空気の流れができ風通しが良く，且つ積み重ねても下の方からでも楽に取り出すことができる。【００１７】  前記留め具３ａ，３ｂは圧着ファスナーや締着バンドや面テープで構成されている。【００１８】  収納シートは布製で構成すれば、洗濯ができ、常に清潔に保つことができる。
【符号の説明】
【００１９】  １    収納シート
２    位置決めベルト
３ａ  留め具
３ｂ  留め具
４    固定ベルト
５ａ  留め具
５ｂ  留め具
６    表示タグ
７    収納物
８    長手方向に対向する辺
９    紐通し部
１０ａ  紐端部
１０ｂ  紐端部
【図１】
0003181732.tif 000003
【図２】
0003181732.tif 000004
【図３】
0003181732.tif 000005
【図４】
0003181732.tif 000006
【図５】
0003181732.tif 000007
【図６】
0003181732.tif 000008
【図７】
0003181732.tif 000009
(57)【要約】      （修正有）【課題】喘息等の治療のため、岩塩の中を空気を通すことにより、岩塩の浮遊微粒子を吸引する容器であり、極力清浄された空気が求められ、手で持てる程の軽い構造で、安全性のある吸引具を提供する。【解決手段】底に複数の穴９の開いたペットボトル型容器１の中に粒状の岩塩を入れ、吸引口４から吸い込む事で空気が底から粒状の岩塩７の隙間を通り浮遊微粒子を運び吸引する事ができる。誤って岩塩が口に直接入らないよう穴付ＰＥ製栓３を吸引口部分に装着した。空気が入る底面に不織布製フィルター８を設置する事で清浄な空気を容器内に取り入れる。容器上部に穴を開け岩塩やフィルターの交換などが容易にできる構造としている。【選択図】図１
0003181734.tif 000002
【実用新案登録請求の範囲】
【請求項１】
ペットボトル型の容器及び岩塩の粒で構成され岩塩浮遊微粒子を吸引できる事を特徴とする吸引具
【請求項２】
前記、請求項１の容器の底に、直径３ミリの穴を３平方センチ当たり２個程度の割合で開け吸引口から吸引する事により容器内の岩塩粒の間を空気が通り抜ける事で岩塩の浮遊微粒子を吸引する事を特徴とする請求事項１記載の吸引具
【請求項３】
前記、請求項１の内部の底部分に不織布製フィルターを設置し外部のホコリ・微粒子の進入を防ぎ清浄な空気を岩塩粒内に送り込む事を特徴とする請求事項１記載の吸引具
【請求項４】
前記、請求項１の吸い込み口内部に岩塩の大きさより小さい直径３ミリの穴が複数開いたポリエチレン製の栓を設置する事により誤って岩塩粒を吸引しない構造を特徴とする請求事項１記載の吸引具
【請求項５】
前記、請求項１の容器内のフィルターや岩塩の交換が容易にできるように、上部側面に直径１８ミリ程度の穴がある構造を特徴とする請求事項１記載の吸引具
【考案の詳細な説明】
【技術分野】
【０００１】本考案は岩塩の浮遊微粒子を吸引する吸引具の構成に関する。
【背景技術】
【０００２】喘息、鼻炎などの自然治療として、海、浜辺などで潮風を吸引するなどがあるが、強い浜風にあたり体温の低下、太陽の紫外線、潮風にあたる場所まで遠出の疲労、砂塵などを吸い込み、体調を崩すケースがある。
ヨーロッパなどでは、岩塩抗の中で岩塩の浮遊微粒子を吸引し喘息などを治療する方法がある。この方法では、風、太陽など外部的な影響は受けず効果的な治療ができる。
岩塩抗がない日本では、このような事ができない。自宅でできる方法が望まれている。
【考案の概要】
【考案が解決しようとする課題】
【０００３】本考案は、岩塩の中を空気が通る事により、岩塩の浮遊微粒子を吸引する容器であり、極力清浄された空気が求められ、手で持てる程の軽いタイプで、安全性のある吸引具を提供する事にある。
【課題を解決するための手段】
【０００４】上記の課題を解決すべく本考案者は鋭意検討した結果、上記の課題は次のような手段によって解決出来る事がわかった。
底に複数の穴の開いたペットボトル型容器の中に岩塩を入れ、ペットボトルの口から吸い込む事で岩塩の浮遊微粒子を吸引できる。
岩塩は、強い吸引で吸い上げられないように、また、空気の通り道を多様にする為５センチ前後の粒状の岩塩を使う事にした。
底面と同じサイズの不織布のフィルターを内底に設置する事により外部の空気より清浄な空気を容器内に取り込める構造となった。
ペットボトル型容器の口部分の内部にポリエチレン製で岩塩粒より小さいサイズの複数の穴が開いた栓を装着した事により誤って強く吸引し岩塩粒が吸引されないようにした。
ペットボトル型容器の上部に直径１８ミリ程度の穴を開け岩塩や不織布のフィルター交換を行えるようにし、その穴をコルク栓などで塞ぐようにした。
衛生面・環境面に配慮して、中身が見える透明のペットボトルを使用したが、樹脂や陶器、木製でも本考案の構造が応用できる。
【考案の効果】
【０００５】底に穴を開けたペットボトル型容器にする事によって、手で持つ事で岩塩の浮遊微粒子を吸引する事が容易となった。
内部の底部分に不織布製フィルターを設置した事により浮遊するホコリ・外部の微粒子の進入を防ぎ清浄な空気を容器内に取り込む事ができるようになった。横穴を設ける事により岩塩やフィルターの交換が容易にできるようになった。
吸い口部分に装着されたＰＥ製フィルターは、誤った吸引にも岩塩を吸引しないようになった。このような事から場所を選ばす使用でき、より安心して吸引できる構造となった。
【考案を実施するための形態】
【０００６】本案件の吸引容器は、ペットボトル型容器、キャップ、穴付ＰＥ栓、コルク栓、不織布フィルター、ピンセットからなる。不織布フィルターを軽く丸めてペットボトル横穴から入れ、底部に定着させる。その横穴から粒状の岩塩を容器の半分程度まで入れその穴をコルク栓で塞ぎ吸引口のキャップを取って吸引する。岩塩・フィルターの交換もこの横穴から行う。
保管は、湿気が寄り付かないように、上部キャップで密閉する。
【実施例】
【０００７】以下本考案を図面を用いて詳細に説明する。
（図１）の本体ペットボトル型の容器に３のＰＥ製の複数の穴の開いた栓を６から入れてＢの位置に装着する。これは誤って強い吸引によって岩塩が口に入らないようにする為のものである。本体の底に９のような３ミリ程度の穴を複数設けて底から空気が入る構造としている。
本体の横穴６から、８の不織布製のフィルターを入れて底に定着させる、その上に７の粒上の岩塩を容器半分程度まで６から入れ６に５のコルク栓を用いて蓋をする。
４から口で吸引すると、Ａ１から空気が入り７の岩塩の中Ａ２を通り岩塩の浮遊微粒子をＡ３まで運び吸引できる。岩塩は、吸湿性があるので、２のキャップ（蓋）をして保管する。
【産業上の利用可能性】
【０００８】粉末状の塩では、吸引時に粉末を吸い込む危険性があるが、本考案のペットボトル型容器と粒状岩塩を実用する事により、塩の浮遊微粒子を吸引する事ができる。
ペットボトル型容器の為、場所を選ばず使用が可能となる。
本考案では、ペットボトル型容器としているが、樹脂や陶器、木製などの素材でも本考案の構造が応用できる。
【図面の簡単な説明】
【０００９】
【図１】本考案の実施例に係る主要部の構成を示す図である。
【符号の説明】
【００１０】１：本体ペットボトル型容器
２：キャップ（蓋）
３：誤吸引防止栓ＰＥ製
４：吸引口
５：コルク栓（横穴栓）
６：横穴（フィルター・岩塩入れ用）
７：粒状岩塩
８：不織布製フィルター
９：空気通し穴
Ａ１〜Ａ３：空気移動
Ｂ：３の誤吸引防止栓の装着位置
【図１】
0003181734.tif 000003
(57)【要約】      （修正有）【課題】駐車中の自動車ボディが隣接車のドアー開き時に当てられて傷や凹みを付けられることを、車種によらず防止できる防止具を提供する。【解決手段】車ボディと相手車ドアーが直接当らないように間隔を設けるための柱状や棒状の少なくとも厚さ１０ｍｍ以上の間隔片を車ボディ側に取り付ける。間隔片は可撓性のある合成樹脂やゴム等、衝撃吸収性のあるもので緩衝型間隔片とする。【選択図】図２
0003181736.tif 000002
【実用新案登録請求の範囲】
【請求項１】
車体に貼着したり外したりする傷、凹み防止具において、柱状で可撓性のある合成樹脂やゴムを緩衝材とした、厚さを少なくとも１０ｍｍ以上に形成した緩衝型間隔片。
【考案の詳細な説明】
【技術分野】
【０００１】    駐車中の自動車に隣接した車がドアーを開けるとき誤って相手側ボディに接触させて傷つけたり凹ませたりすることがある。屋外では時に風にあおられて傷つけることもある。本考案は、隣接車ドアーと直接接触しないように緩衝材を嵩高く形成してボディに貼り付け間隔を設けるものである。
【背景技術】
【０００２】    車ボディに固定した帯状の緩衝材や外装用モールがある。
【先行技術文献】
【特許文献】
【０００３】
【特許文献１】    特開昭６２−２６８７５３
【特許文献２】    特開２００１−２１３１６６
【０００４】
【非特許文献】
【非特許文献】    登録実用新案第３０４６５９７号
【考案の概要】
【考案が解決しようとする課題】
【０００５】    駐車中の自動車ボディの凹みや当て傷防止に従来品は、合成樹脂やゴムを保護材にして幅広の帯状でボディ側面に磁石や吸盤により貼り付けるものがあったが、車種によってはボディと相手側車ドアー曲面との当たり高さの位置が異なり、多少の厚みがあったとしても帯状保護材の貼り付けの位置決めは難しい。
【課題を解決するための手段】
【０００６】    車ボディと車ドアーが直接当らないように間隙を設けるための柱状、棒状の間隔片を取り付ける。間隔片は可撓性のある合成樹脂やゴムなどを緩衝材として、断面を台形や角柱、半円柱状に、またこれらを中空や溝状にした材料を嵩高く形成する。取り付け面にはマグネットゴムシートや吸盤等を接着し組み合わせして一体化し、使用時には車ボディに着脱自在にする。
駐車時には取り付け、運転時には取り外してトランク等に収納する。
【考案の効果】
【０００７】    緩衝型間隔片は嵩高い柱状や棒状なので乗用車対ワゴン車、乗用車対ＳＵＶ車など大きさに差があっても当たりの高低差に対処できる。実施例ではポリエチレンフォーム材など軽量で掴み易く着脱が容易。帯状の従来品に比べて衝撃吸収性が高く取付け高さに気を遣うこともない。
【図面の簡単な説明】
【０００８】
【図１】    本考案の柱状の緩衝型間隔片を自動車ボディに取り付けた斜視図である。
【図２】    車に取り付けた柱状の緩衝型間隔片に、隣接車ドアーが開けられ接触寸前の一例を示す。ドアーの曲面凸部が広い間隔のため接触し難い状況の正面略図。
【図３】    緩衝型間隔片の一例を示す台形幅大の平面と側面図である。
【図４】    緩衝型間隔片の一例を示す台形幅少の平面と側面図である。
【考案を実施するための形態】
【０００９】    考案の実施の形態について図面とともに説明する。
図３、図４において実施例では、可撓性と衝撃吸収性のあるポリエチレンフォームを用いて断面が台形で車ボディに貼り付ける面に両面テープや接着剤でマグネットゴムシートを貼って一体化した、長さ９００ｍｍ程度の柱状の緩衝型間隔片である。
【実施例】
【００１０】    添付図面の図１と図３を参照して本考案の実施例を説明する。
図１は。駐車中の車ボディに貼り付けした、この考案の緩衝型間隔片であり嵩高さを見るための斜視図ある。
図３は、実施例であるポリエチレンフォームにマグネットゴムシートを接着剤等で一体化した、緩衝型間隔片で車ボディに着脱自在。駐車時に貼り付けし発車時には取り外して格納する。
【産業上の利用の可能性】
【００１１】    駐車中に所有者が見ていないところで車が傷つけられ凹まされることは往々にあり、本考案の緩衝型間隔片を使うことで安心感が得られることと、実施例の通り駐車中に貼り付け発車時に取り外して格納する実用性は、利用の可能性は十分にある。
【符号の説明】
【００１２】  ａ  緩衝型間隔片
ｂ  接着剤
ｃ  マグネットゴムシート
【図１】
0003181736.tif 000003
【図２】
0003181736.tif 000004
【図３】
0003181736.tif 000005
【図４】
0003181736.tif 000006
(57)【要約】【課題】携帯端末保護ケースに刺繍装飾を貼り付けて高い装飾性と端末の保護を両立し、なおかつ経年変化に耐える端末ケースを構築する。【解決手段】本考案は携帯端末保護ケース内側に水溶性基布に刺繍した、一般では行われない刺繍の表面に高透明度耐水シリコン系接着剤を塗布、接着したのち基布を水流にて除去後に透明薄膜にて刺繍を覆い、端末ケースの落下時での衝撃を刺繍組織ならびにシリコンによりやわらげ端末に刺繍の優美さと経年変化に耐えるケースとする。【選択図】図２
0003181731.tif 000002
【実用新案登録請求の範囲】
【請求項１】
水溶性基布に刺繍した刺繍装飾品の表面にシリコン系耐水透明接着剤を塗布し、プラスティック製携帯端末保護ケースの内側に貼付けたのち水溶性基布を除去した携帯端末保護ケース品。
【考案の詳細な説明】
【技術分野】
【０００１】本考案は、電脳刺繍を水溶性基布から取除いて刺繍本体のみを各種携帯端末ケース内側に貼付けることに関するものである。
【背景技術】
【０００２】最近でのデーター通信の高速大容量化に伴い携帯端末の画面はますます大型化しており、利用者においては使用時での落下破損の危険性の増大が認識され端末保護ケースは必須となりつつあります。
【先行技術文献】
【特許文献】
【０００３】
【特許文献１】登録実用新案  ３１３３６７８号  公報
【非特許文献】
【０００４】
【非特許文献１】有限会社ラム運営、電脳刺繍美術館（刺繍家紋帖）  ｈｔｔｐ：／／ｗｗｗ．ｃｅｄａ．ｏｒｇ  日本古来の家紋１００種以上を電脳刺繍化して利用者に供している。１９９６〜
【考案の概要】
【考案が解決しようとする課題】
【０００５】携帯端末本体に直接に装飾パーツを接着、ワッペン等を貼付けた場合は経年変化によりパーツの剥離、脱落による端末本体の塗装への悪影響の可能性があります。電脳刺繍付端末保護ケースは高い装飾性と端末の保護を両立します。
【課題を解決するための手段】
【０００６】本考案は携帯端末本体に直接刺繍を貼付けるのではなく、端末保護プラスティックケースの内側に刺繍表面に高透明度耐水シリコン系の接着剤を施し接着したのち水流により水溶性基布を除去します。また必要に応じて透明保護膜にて刺繍本体を覆います。
【考案の効果】
【０００７】上述のように電脳刺繍を保護ケース内側に接着固定することにより表面に露出することが無いので経年変化による問題は発生しません。
また容易にケースの交換ができますので、利用者は服装に合わせて電脳刺繍付ケースを選択できます。
【図面の簡単な説明】
【０００８】
【図１】端末保護ケースに刺繍本体を接着貼付け
【図２】高圧水流により水溶性基布を除去
【図３】完成図
【考案を実施するための形態】
【実施例】
【０００９】以下、添付図面に従って実施例を説明する。１は耐久性プラスティック素材にて一体化形成された携帯端末保護ケース内側に刺繍の表面を固化しても弾力を失わないシリコン系接着剤にて塗布して貼付ける。
２は接着完了後に高圧水流にて水溶性基布を除去して接着された刺繍本体だけの状態である。
状況に応じて端末に刺繍裏側を透明薄膜で覆います。
３は端末に実際にケースを取付けた場合です。
【符号の説明】
【００１０】１  携帯端末ケース本体
２  電脳刺繍本体（水溶性基布使用）
３  刺繍保護薄膜
【図１】
0003181731.tif 000003
【図２】
0003181731.tif 000004
【図３】
0003181731.tif 000005
(57)【要約】      （修正有）【課題】従来より使用されている人形用屏風にＬＥＤ光を用いてより一層の装飾的意味を持たせた人形用屏風を提供する。【解決手段】台板上の人形の背後に載置される人形用屏風であって、該屏風の任意の個所に屏風裏面より小孔５を穿設し、該小孔５に光ファイバー６の先端をはめ込み電飾装置によって前記光ファイバー先端を発光させたことを特徴とする人形用屏風である。【選択図】図１
0003181771.tif 000002
【実用新案登録請求の範囲】
【請求項１】
台板上の人形の背後に載置される人形用屏風であって、該屏風の任意の個所に屏風裏面より小孔を穿設し、該小孔に光ファイバーの先端をはめ込み電飾装置によって前記光ファイバー先端を発光させたことを特徴とする人形用屏風。
【請求項２】
電飾装置がＬＥＤ光源により光ファイバー先端を発光させた装置である請求項１記載の人形用屏風。
【考案の詳細な説明】
【技術分野】
【０００１】
本考案は、台板上の人形の背後の載置される人形用屏風に関し、特に該屏風に電飾装置を設け屏風の任意の個所を光によって装飾した人形用屏風に関する。
【背景技術】
【０００２】
人形の背後に屏風を載置して人形を引き立たせることは通常行われており、特に三月ひな人形や五月節句人形等においては、屏風表面に蒔絵、金紙或いは絹布などを用いて屏風自体が三月節句人形や五月節句人形のための装飾品として重要な役割を有することは知られている。そのため人形用屏風に種々の工夫を施して装飾的価値を高め、その結果人形をより一層際立たせることが行われている。例えば特許文献１においては屏風正面に装着凹部を凹設し、この装着凹設に家紋取付台座を固定し、プレート状或いはシート状に形成された任意の家紋表示体を、家紋取付台座に装着することが開示されており、特許文献２には人形用屏風の表裏両面に花鳥、山水などの図柄を描き、屏風の両面が利用できるような工夫が施されている人形用屏風が開示されている。
【先行技術文献】
【特許文献】
【０００３】
【特許文献１】特開平１０−５１０８号公報
【特許文献２】特開平１１−３３２４２号公報
【考案の概要】
【考案が解決しようとする課題】
【０００４】
本願考案は従来使用されている人形用屏風に光を用いてより一層の装飾的意味を持たせた人形用屏風を提供することを目的とする。
【課題を解決するための手段】
【０００５】
本願考案は台板上の人形の背後に載置される人形用屏風であって、該屏風の任意の個所に屏風裏面より小孔を穿設し、該小孔に光ファイバーの先端をはめ込み電飾装置によって前記光ファイバー先端を発光させたことを特徴とする人形用屏風であり、特にＬＥＤ光源により光ファイバー先端を発光させることが好ましい。
【考案の効果】
【０００６】
本考案においては人形用屏風の任意の個所に光ファイバーの端部をはめ込み、これをＬＥＤ光源により発光させることにより極めて美麗な屏風となり、その前面にある人形を際立たせることが出来る。
【図面の簡単な説明】
【０００７】
【図１】本考案に係る人形用屏風の構造を裏面から示した斜視図である。
【図２】本考案にかかる人形屏風の正面から見た図である。
【考案を実施するための形態】
【０００８】
電飾装置を用いて看板、屋外装飾、バス広告、クリスマスツリー、表示板を際立たせることは行われているが、人形等の装飾にこれを用いることは行われておらず、本願考案ではこれを人形等の背後に配置した屏風に適用することによって人形の装飾的効果を際立たせることが出来たのである。
【０００９】
本考案について更に詳細に述べる。
本考案における人形用屏風とは、三月ひな人形や五月節句人形等の後方に立てて置かれているものに止まらず、その他の人形或いは置物等の後方に置かれ、人形、置物等を際立たせる装飾の具として使用されている物であれば何れでもよく、その構造は１枚の横長の木板の両側縁部に袖部を構成する木板を折り畳み自由に連結したもの、あるいは横長の木板を２枚、４枚、６枚等を折り畳み自由に連結したもの等何れでもよく、これを開くことによって自立できるようにしたものでも良い。或いは木枠内に蒔絵、あるいは種々の絵画が描写された木板、若しくは絵画が描写されてない木板を嵌め込んで屏風正面を構成し、その両側縁部に折り畳み自在に木板を連結させても良い。折り畳み自由に連結する手段としては通常はヒンジで連結させるのが普通であるが、これに限られるものではない。
【００１０】
このような屏風の正面の任意の位置に小孔を穿設する。小孔の大きさとしては１〜３ｍｍ程度で、屏風裏面からこの小孔に光ファイバーの先端をはめ込む。光ファイバーの他端は束ねて光ファイバー束を形成し、この光ファイバー束の端部にＬＥＤ発光光源からのＬＥＤ発光を入射させて光ファイバーの先端を発光させる。ＬＥＤ発光の発光色としては特に限定はないが、青色光が好ましい。また発光は間歇的に行うようにしても良い。
【実施例】
【００１１】
本願考案の実施例として図をもって更に具体的に説明する。
図１は本発明の係る人形用屏風の構造を裏面から示した斜視図であり、図２はその正面から見た図ある。図１において横長の木枠１の両側縁部を縦長の袖木板２がヒンジ３で折り畳み自在に結合されており、木枠１の内側に正面木板４を嵌め込み、人形用屏風を形成する。この正面木板４の表面には絵画が描写してあり、また、その任意の個所には約１〜３ｍｍ程度の径を有する小孔５が穿設してある。この小孔５には裏面より光ファイバー６の先端を嵌め込む。光ファイバーは束ねられて、その端部はＬＥＤ光源７からのＬＥＤ光が入射するようになっている。これらの光ファイバーを覆うように背面板８が設けられ、その一隅に電源ボックス９が設けられている。背面板８は木板４と一体となって木枠１の中にはめ込まれている。このようにして構成されている屏風を正面から見た図を図２として示した。なお、この実施例では木枠、木板等屏風を構成する材質として木を用いたが、本考案はこれに限定させるものではなく、他の材質、例えばプラスチック等を用いても良い。
【産業上の利用可能性】
【００１２】
以上述べた構成を採ることによって屏風の小孔部分がＬＥＤ光によって装飾され、これによって人形や置物等がより一層層際立たせることが出来る。
【符号の説明】
【００１３】
１  木枠      ２  袖木板      ３  ヒンジ      ４  正面木板      ５  小孔
６  光ファイバー      ７  ＬＥＤ光源      ８  背面板      ９  電源ボックス
【図１】
0003181771.tif 000003
【図２】
0003181771.tif 000004
(57)【要約】【課題】カーテンを開けず、かつ、カーテンをはためかせることなく、窓からの換気を行えるようにできる器具を提供することを課題とする。【解決手段】換気器具として、前面と後面が開放された横に細長い箱体からなる本体部と、  本体部の上面に設けられるカーテンの裾を挟んで固定するクリップとを設ける。さらに、前記本体部の内部には、後面から前面に流れる風の流れを変えるための、１以上の細長い板体からなるルーバーを設けることが望ましい。【選択図】  図２
0003181208.tif 000002
【実用新案登録請求の範囲】
【請求項１】
前面と後面が開放された横に細長い箱体からなる本体部と、
本体部の上面に設けられるカーテンの裾を挟んで固定するクリップと
を有する換気器具。
【請求項２】
前記本体部の内部には、後面から前面に流れる風の流れを変えるための、１以上の細長い板体からなるルーバーが設けられる
請求項１に記載の換気器具。
【請求項３】
前記本体の底面又は側面に底面側に吸着する吸盤が設けられる請求項１又は２に記載の換気器具。
【考案の詳細な説明】
【技術分野】
【０００１】
本考案は窓からの換気を補助する器具であって、特に、カーテンを閉めたまま換気できるようにする器具に関する。
【背景技術】
【０００２】
窓から換気をする場合、カーテンを閉じると風が強い日などはカーテンがはためき、目障りになる。このため、窓から換気をする場合はカーテンを開けることが多い。
【考案の概要】
【考案が解決しようとする課題】
【０００３】
しかしながら、立地によってはカーテンを開けると部屋の中が外から見えるなどの理由により、カーテンを開けることができないことも多い。これに対して、カーテンをブラインドに替える方法もあるが、換気のためだけにカーテンをブラインドに替えたくない場合もある。
本考案は、このような問題に鑑みて、カーテンを開けず、かつ、カーテンをはためかせることなく、窓からの換気を行えるようにできる器具を提供することを課題とする。
【課題を解決するための手段】
【０００４】
上記課題を解決するために、本考案は次のような構成を有する。
請求項１に記載の考案は、前面と後面が開放された横に細長い箱体からなる本体部と、  本体部の上面に設けられるカーテンの裾を挟んで固定するクリップとを有する換気器具である。
請求項２に記載の考案は、前記換気器具において、前記本体部の内部には、後面から前面に流れる風の流れを変えるための、１以上の細長い板体からなるルーバーが設けられるものである。
請求項３に記載の考案は、前記換気器具において、前記本体の底面又は側面に底面側に吸着する吸盤が設けられるものである。
【考案の効果】
【０００５】
請求項１に記載の考案は、窓の下方側に本換気器具が床にほぼ平行になるようにして、上部のクリップでカーテンの裾を挟んで固定する。これにより、本換気器具の重さでカーテンがはためくことを抑制できるとともに、本体部の前後方向に空いた開口を通じて外の風を室内に取り込むことができる。
請求項２に記載の考案は、本体部内部にルーバーを設けることで、室内に流れ込む風の方向を適宜変えることができる。
請求項３に記載の考案は、窓が床まで達するものである場合に、床がフローリングなどの平らな床面であれば本体部を吸盤で床面に固定することができるので、本体部が風で動くことをより確実に抑制することができる。
【図面の簡単な説明】
【０００６】
【図１】実施形態に係るの換気器具の斜視図である。
【図２】図１のＡ−Ａ線拡大断面図である。
【図３】実施形態に係る換気器具の使用状態を示す斜視図である。
【図４】実施形態に係る換気器具の使用状態を示す縦断面図である。
【考案を実施するための形態】
【０００７】
以下、本考案の実施の形態について、図面を参照しながら説明する。
図１に本実施形態に係る換気器具Ｘの斜視図を示し、図２に図１におけるＡ−Ａ線の拡大断面図を示す。換気器具Ｘは本体部１０、クリップ部２０、ルーバー３０、吸盤４０とから構成される。
本体部１０は合成樹脂性の前面と後面とが開放した箱体で、横幅は一般的なテラス窓１枚分の幅とほぼ等しい８００ｍｍ、高さ及び奥行きはともに１５０ｍｍの大きさを有する。本体部１０の内部の上面と下面とは後述するルーバー３０に平行になるように傾斜が設けられている。クリップ部２０は本体部１０の上面に形成される薄く形成することで弾性を持たせた断面山型に湾曲する板体からなり、前端が本体部１０の上面の前端に一体に形成されている。クリップ部２０の横幅は本体部１０の横幅にほぼ等しい。ルーバー３０は、本体部１０の内部両側面に固定される複数の平行に配置された板体で、背面側から前面側に向かって斜め上を向くような傾斜をつけて固定されている。吸盤４０は、本体部１０の下面の四隅に固定される一般的な吸盤である。
【０００８】
次に、以上のような構成を有する換気器具Ｘの使用方法について説明する。本換気装置Ｘはテラス窓に用いるものである。なお、使用する部屋は床面がフローリングやリノリウムなどの滑らかな面を有するものとする。使用者は、まずテラス窓の片側を開ける。この際、開けた側は網戸を閉じることが望ましい。次に、開けた側の開口部の部屋側下端位置に換気器具Ｘを前面が部屋側を向くように置く。この際、換気器具Ｘ下面の吸盤４０を床面に吸着させて固定する。そして、カーテンを閉め、開けた窓側のカーテンの裾を換気器具Ｘのクリップ部２０に挟む。これにより図３のような状態となり、換気器具Ｘの設置が完了する。図４に、この状態における換気器具Ｘ近傍の縦断面図を示す。このような状態となることで、外から風が室内に向かって吹くと、カーテンＣは裾を換気器具Ｘにより固定されるので、室内側に捲くれ上がることがない一方、換気器具Ｘは前後が連通しているので、後面側から流入した風は本体部１０内部を通って前面側から室内へと流れ込むことになる。この際、ルーバー３０が後ろから前に向かって斜め上方に傾いているので風は本体部１０の前面から斜め上方に向かうこととなる。
このように換気器具Ｘによれば、カーテンを閉めたままで、カーテンをはためかせることなく、窓からの風を取り入れることができる。
【０００９】
なお、上記実施形態では、本体部１０の下面に吸盤を設けて床面に吸着させて固定することでカーテンがはためくことを抑制しているが、本体部１０を重くすることでカーテンがはためくことを抑制するようにしてもよい。
また、上記実施形態では、テラス窓用の換気器具を例示したが、床から離れた窓に適用することも可能である。この場合、カーテンがはためくことを防止するために、本体部１０の重さを重くしたり、吸盤４０を下面ではなく、壁面に吸着するように後面側に向くように設けたりすればよい。
さらに、上記実施形態では、ルーバーを後ろから前に向かって斜め上を向くように固定しているが、ルーバーは本体部１０の内側壁に回転自在に固定することで角度を替えることができるようにしてもよい。また、ルーバーの数も適宜変更することができる。
【符号の説明】
【００１０】
Ｘ  換気器具
１０  本体部
２０  クリップ部
３０  ルーバー
４０  吸盤
【図１】
0003181208.tif 000003
【図２】
0003181208.tif 000004
【図３】
0003181208.tif 000005
【図４】
0003181208.tif 000006
(57)【要約】      （修正有）【課題】過度な連続運転やモーターロック等によるモーター過熱を防止する事を可能とする電動式黒板拭きクリーナーを提供する。【解決手段】温度ヒューズをモーター側でなくケース側に取り付けて、モーターをケースに入れた際にモーター本体と温度ヒューズがほぼ接触状態に近い近接状態になるようにし、さらに温度ヒューズを電動送風機の電源ラインに直列に挿入する事により、電動送風機のモーターが過熱して温度ヒューズが溶断すると電動送風機の運転が停止してモーター加熱を防ぐ事ができる。【選択図】図１
0003181205.tif 000002
【実用新案登録請求の範囲】
【請求項１】
電動送風機とフィルターを組み合わせた電動式黒板拭きクリーナーであり、連続運転時のモーター過熱防止の安全装置として温度ヒューズを電動送風機の電源ラインに直列に挿入した事を特徴とする温度ヒューズ付き電動式黒板拭きクリーナー。
【請求項２】
モーター過熱防止の安全装置である温度ヒューズをケース側に取り付け、モーターと温度ヒューズをほぼ接触状態に近い近接状態とした事を特徴とする請求項１の温度ヒューズ付き電動式黒板拭きクリーナー。
【考案の詳細な説明】
【技術分野】
【０００１】
本考案は、電動式黒板拭きクリーナーに関するものである。
【背景技術】
【０００２】
掃除機のように電動送風機と集塵フィルターを組み合わせた電動式黒板拭きクリーナーは従来から有るが、黒板拭きのチョークの粉を長時間吸い続ける事を前提としていないため、ＯＮ／ＯＦＦの電源スイッチと過電流防止用のヒューズが取り付けられているのみで過熱防止の対策はなされていなかった。そのため過度な連続運転やモーターロック等による電動送風機のモーター過熱に対しては、無防備な状態であるという欠点があった。
【先行技術文献】
【特許文献】
【０００３】
【特許文献１】実開昭６２−０７８８４４号公報
【考案の概要】
【考案が解決しようとする課題】
【０００４】
解決しようとする問題点は、モーター過熱に対して無防備な状態であるという点である。
【課題を解決するための手段】
【０００５】
本考案は、モーター過熱の防止装置として温度ヒューズを取り付ける事を最も主要な特徴とする。
【考案の効果】
【０００６】
本考案の温度ヒューズ付き電動式黒板拭きクリーナーは、温度ヒューズの種類選択によりモーター過熱温度の検知設定ができる利点がある。
【図面の簡単な説明】
【０００７】
【図１】図１は温度ヒューズ付き電動式黒板拭きクリーナーの実施方法を示した配線図である。（実施例１）
【０００８】
【図２】図２は温度ヒューズ付き電動式黒板拭きクリーナーの実施方法を示した説明図である。（実施例２）
【考案を実施するための形態】
【０００９】
電動送風機のモーター過熱を検知し電動送風機を停止するという目的を、最小の部品点数で、製品の組立て構造を変える事なく実現した。
【実施例１】
【００１０】
図１は、本考案装置の１実施例の配線図であって、１はＡＣプラグ、２は温度ヒューズ、３はモーターである。
【００１１】
ＡＣプラグ１の電源ラインの１本は電源スイッチとヒューズに直列に接続されモーター３に接続される。残るもう１本は温度ヒューズ２に直列に接続され該モーター３に接続される。該温度ヒューズ２は該モーター３の過熱を検知するものであり、構造的に該モーター３と近接状態の位置に有る。
【００１２】
過度な連続運転やモーターロック等により該モーター３が過熱すると、その温度により該温度ヒューズ２が溶断し、該モーター３は電源がＯＦＦとなり運転が停止して過熱を防ぐ事ができる。
【００１３】
本考案の主体は温度ヒューズを取り付けた過熱防止にあるので、黒板拭きクリーナーの動作説明は省略する。
【実施例２】
【００１４】
図２は、本考案装置の１実施例の説明図であって、２と３は実施例１と同様であり、４はケース、５は支柱である。
【００１５】
温度ヒューズ２はケース４に建てられた支柱５に取り付けられており、該ケース４にモーター３が収められた時に、該モーター３と該温度ヒューズ２が近接状態となるような構造になっている。
【００１６】
具体的には、該モーター３の形状や該温度ヒューズ２のサイズに合せ、該支柱５の高さを１０ｍｍから５０ｍｍ程度、該支柱５間の距離を２０ｍｍから６０ｍｍ程度となるようにし、該温度ヒューズ２は、外的ストレスがかかる事が無いよう該モーター３にほぼ接触状態に近い近接状態となるように配置した。
【産業上の利用可能性】
【００１７】
モーターの動力線の片側に温度ヒューズを直列に入れるだけの簡単な処理であり、既に温度ヒューズを入れる事無く商品化された黒板拭きクリーナーであっても適用できる。
【符号の説明】
【００１８】
１    ＡＣプラグ
２    温度ヒューズ
３    モーター
４    ケース
５    支柱
【図１】
0003181205.tif 000003
【図２】
0003181205.tif 000004
(57)【要約】      （修正有）【課題】パンプスとフットカバーソックスガしっかりと固定され脱がなくなるシューズバンド・フットカバーソックスを提供する。【解決手段】フットカバーソックスの縁１にシューズバンド２を縫い付ける、又は、フットカバーソックスの縁１全体に小さなフープと紐を設ける。【選択図】図３
0003181203.tif 000002
【実用新案登録請求の範囲】
【請求項１】
フットカバーソックスの縁1にシューズバンド2を取り付けてフットカバーソックスとシューズバンド一体化されたシューズバンド・フットカバーソックス。
【請求項２】
フットカバーソックスの縁1全体に小さなフープ3と紐4を設けるシューズ バンド ・フットカバーソックス。
【考案の詳細な説明】
【技術分野】
【０００１】
この発明は、シューズバンド付きのフットカバーソックスに関するシューズ バンド・ フットカバーソックスである。
【背景技術】
【０００２】
従来，フットカバーソックスにシューズバンドが付いていなかった。
【考案の概要】
【考案が解決しようとする課題】
【０００３】
（イ）従来、フットカバーソックスは脱げやすいのが難点の一つです。それが原因で無駄に捨てられる靴下は多いです。
（ロ）パンプスはしばらく使用すると緩むことによって歩くときに脱げやすくなる。無理やりそれを履くのは足に負担が掛かる。結局履かなくなる。
【課題を解決するための手段】
【０００４】
フットカバーソックスの縁にシューズバンドを取り付けることにより靴とフットカバーソックスを固定することができ、脱げ防止が出来る。
【考案の効果】
【０００５】
パンプスがシューズ バンド・ ソックスに固定されているので、フットカバーソックスもパンプスも脱げることがない。
【図面の簡単な説明】
【０００６】
【図１】例1の平面図
【図２】例1の実施図
【図３】例2の平面図
【図４】例2の実施図
【図５】例3の平面図
【図６】例3の実施図
【考案を実施するための形態】
【０００７】
シューズバンドの取り付け位置は一か所のみに限らず、フットカバーソックス縁部の後方、両側など、フットカバーソックスのデザインに応じて最適な場所とする。
例１：フットカバーソックスの後縁1にシューズバンド2を取り付ける。
例２：フットカバーソックスの両縁1にシューズバンド2を取り付ける。
例３：フットカバーソックスの縁1全体に小さなフープ3と紐4を設ける。
【実施例】
【０００８】
例１：フットカバーソックスの後縁1にシューズバンド2を縫い付ける場合はバンドを足の前方で一回ねじて靴底に掛ける状態です。
例２：フットカバーソックスの縁1両側にシューズバンド2を縫い付ける場合はシューズバンドの部分はそのまま靴底に掛ける。
例３：フットカバーソックスの縁1全体に小さなフープ3と紐4を設ける場合は紐４をフープ３に通して適した所に靴底に掛けて上で結んで固定する。
【産業上の利用可能性】
【０００９】
ファションアパレル界で女子の靴下産業での発展は期待できる。
【符号の説明】
【００１０】
１  フットカバーソックスの縁
２  シューズバンド
３  フープ
４  紐  
【図１】
0003181203.tif 000003
【図２】
0003181203.tif 000004
【図３】
0003181203.tif 000005
【図４】
0003181203.tif 000006
【図５】
0003181203.tif 000007
【図６】
0003181203.tif 000008
(57)【要約】      （修正有）【課題】作業性低下や身体的負担をもたらすことなく、非熟練工であっても一定品質以上の仕上がりを実現できるようにした均し具を提供する。【解決手段】均し具１０は、縦長の柄１２と、柄１２の先端に接続された横長の均し板１４とを略Ｔ字状に組み合わせた工事用の道具であり、柄１２と均し板１４の間は柄１２を中心に左右一対の筋交い１６によって補強されている。柄１２と一方の筋交い１６の間には、中空の枠体１８が取り付けられており、枠体１８の内側に気泡管水準器２０が装着されている。柄１２を持ったままの状態で気泡管水準器２０の気泡の位置を視認することができるため、従来のように気泡管水準器を均し板に当てるために作業を中断したり、身体を無理に伸ばしたりすることなく仕上げ勾配を簡単に確認することができる。【選択図】図１
0003181277.tif 000002
【実用新案登録請求の範囲】
【請求項１】
縦長の柄と前記柄の先端に接続された横長の均し板とを略Ｔ字状に組み合わせた均し具において、
前記均し板の横方向における傾斜角を測定するための角度測定器が装着されている、
均し具。
【請求項２】
前記角度測定器が前記柄の幅方向の内側に収まるように装着されている、
請求項１に記載の均し具。
【請求項３】
前記角度測定器が前記柄に固定された枠体の内側に装着されている、
請求項１または２に記載の均し具。
【請求項４】
前記角度測定器が気泡管水準器である、
請求項１乃至３の何れかに記載の均し具。
【考案の詳細な説明】
【技術分野】
【０００１】
本考案は、セメントコンクリートやセメントモルタル等のセメント混練物の打設面の平面均しまたは斜面均しに用いる均し具に関する。
【背景技術】
【０００２】
従来、ベランダやエントランス等の床面形成のためにセメントコンクリートやセメントモルタル等のセメント混練物を打設し、未硬化の状態で表面を平滑に均す仕上げ工程において均し具が用いられてる。均し具は、多くの場合、縦長の柄と、柄の先端に接続された横長の均し板とを略Ｔ字状に組み合わせたものであり、柄の部分を持って均し板を前後に動かすことによって表面を均す。
【０００３】
この均し作業においては、床面の用途や場所に応じて水平面を形成する平面均し、また勾配を設ける斜面均し等が行われる。この場合、均し板を水平もしくは一定の角度に傾けた状態に維持しなければならないため、従来、均し板に水準器を当てて角度を測定していた。しかし、角度測定時には作業を中断しなければならないため、作業性の低下の原因となっていた。また作業中は角度測定ができないため、仕上がり品質を一定以上に維持するにはある程度の熟練を要する。さらには、柄の先端にある均し板に水準器を当てるために身体を大きく動かさなければならないため、身体的な負担も大きいものであった。
【先行技術文献】
【特許文献】
【０００４】
【特許文献１】特開２００７−９２３７６号公報
【考案の概要】
【考案が解決しようとする課題】
【０００５】
本考案は、従来の均し作業における前記の問題の解決を図るため、作業性低下や身体的負担をもたらすことなく、非熟練工であっても一定品質以上の仕上がりを実現できるようにした均し具を提供するものである。
【課題を解決するための手段】
【０００６】
本考案は、従来の均し作業における前記の問題の解決を図るために、均し板の傾斜角を測定するための角度測定器が装着されている均し具を提供する。
【０００７】
角度測定器は、気泡管型、指針型、デジタル式等の角度測定器を適用することができる。このうち気泡管型は入手が容易である上に比較的安価でもあり、視認性も高いので最も推奨される測定器である。
【０００８】
角度測定器が柄の幅方向の内側に収まるようにすることにより、均し具を上下に重ねて収納するときに嵩張らないという利点がある。
【０００９】
角度測定器を柄に固定された枠体の内側に装着することにより、角度測定器を衝撃や衝突から保護することができるとともに校正が容易になる。
【考案の効果】
【００１０】
本考案が提供する均し具を用いることで、作業中の均し板の傾きを常時把握することができるようになる。これにより、斜面の勾配を確認する際に、従来のように作業を一旦中断して水準器を当てる必要がなく、均し作業に専念することができるため、作業性も向上し、身体的負担も大幅に軽減される。また均し板の傾きを一定の角度に保つことも容易であるため、経験に乏しい非熟練工であっても一定以上の品質に仕上げることが可能になる。
【図面の簡単な説明】
【００１１】
【図１】均し具の構成の一例を示す図
【図２】図１の２−２線断面図
【図３】均し具の使用方法の一例を示す図
【考案を実施するための形態】
【００１２】
本考案の実施の形態について、添付された図面を参照しながら説明する。
【００１３】
最初に図１を参照して均し具の全体の構成について説明する。均し具１０は、縦長の柄１２と、柄１２の先端に接続された横長の均し板１４とを略Ｔ字状に組み合わせた、一般にトンボと呼ばれる工事用の道具である。柄１２と均し板１４の間は柄１２を中心に左右一対の筋交い１６によって補強されている。柄１２と一方の筋交い１６の間には、中空の枠体１８が取り付けられており、枠体１８の内側に気泡管水準器２０が装着されている。
【００１４】
枠体１８の内側は気泡管水準器２０の外形と同等かそれより若干大きめに形成されている。特に深さに関しては、図２に示すように、枠体１８の側壁の上面２２と気泡管水準器２０の計測面２４との間にある程度の距離ｓ１ができる程度の大きさに形成されている。この距離ｓ１を設けることによって計測面２４を障害物等との接触から保護している。また枠体１８の高さｈ１は柄１２の直径ｄ１より小さめに形成されており、枠体１８が柄１２の外側に突出しないようにされている。これにより、複数の均し具１０を上下に重ねて収納しても嵩張らないため、従来のタイプの均し具と同様に取り扱うことができる。気泡管水準器２０を枠体１８に装着するときには、均し板１４を水平にした状態で気泡管水準器２０が水平を指し示すように取り付け位置や角度を調整する。
【００１５】
次に図３を参照して均し具の使用方法について説明する。一般に、斜面仕上げを行う場合、斜面の勾配に合わせて均し板１４を傾け、一定の傾きを維持したまま前後に動かしながらコンクリート等の表面の凹凸を平坦に均していく。均し具１０には、気泡３０の位置によって均し板１４の傾きを測定する気泡管水準器２０が装着されているため、斜面の仕上げ勾配を簡単に確認することができる。気泡管水準器２０には１度勾配や２度勾配のようにいくつかの目盛りが記されており、気泡３０の位置で仕上げ勾配を簡単に確認することができる。柄１２を持ったままの状態で気泡３０の位置を視認することができるため、従来のように気泡管水準器を均し板に当てるために作業を中断したり、身体を無理に伸ばしたりすることなく仕上げ勾配を簡単に確認することができる。
【符号の説明】
【００１６】
１０  均し具
１２  柄
１４  均し板
１６  筋交い
１８  枠体
２０  気泡管水準器
３０  気泡
【図１】
0003181277.tif 000003
【図２】
0003181277.tif 000004
【図３】
0003181277.tif 000005